(57)【要約】【課題】アナログプロセッサ回路と本体側の回路とを簡易な構成で電気的に接続し、また、アナログプロセッサ回路による放射ノイズや静電ノイズを低減させる。【解決手段】リーダーユニット１を本体２に対してスライドさせる機構をもつ画像形成装置において、リーダーユニット１に配置される画像読み取り手段（コンタクトセンサ１１）と、画像読み取り手段から出力されたアナログ信号をデジタル信号に変換する信号処理手段（アナログプロセッサ回路２０）とを備え、信号処理手段（アナログプロセッサ回路２０）の本体２に対する位置を固定する構成とする。信号処理手段はリーダーユニット１内に配置し、本体２は信号処理手段を固定する固定部材５１を備え、リーダーユニット１は、スライド時に固定部材５１が通過する部位に開口部５２を備える。【選択図】  図５
2005020374.tif 000002
【特許請求の範囲】
【請求項１】
リーダーユニットを本体に対してスライドさせる機構をもつ画像形成装置において、
前記リーダーユニットに配置される画像読み取り手段と、
前記画像読み取り手段から出力されたアナログ信号をデジタル信号に変換する信号処理手段とを備え、
前記信号処理手段は前記本体に対して固定することを特徴とする、画像形成装置。
【請求項２】
前記信号処理手段は前記リーダーユニット内に配置し、
前記本体は前記信号処理手段を固定する固定部材を備え、
前記リーダーユニットは、スライド時に前記固定部材が通過する部位に開口部を備えることを特徴とする、請求項１に記載の画像形成装置。
【請求項３】
前記開口部は、少なくとも前記固定部材を挿入可能とする幅と、少なくとも前記リーダーユニットのスライド幅の長さを有するスリット状の長穴であることを特徴とする、請求項２に記載の画像形成装置。
【請求項４】
前記信号処理手段は前記本体内に固定し、
前記リーダーユニットは、スライド時に前記画像読み取り手段と前記信号処理手段とをつなぐケーブルが通過する部位に開口部を備えることを特徴とする、請求項１に記載の画像形成装置。
【発明の詳細な説明】
【０００１】
【発明の属する技術分野】
本発明は、本発明は、密着型イメージセンサ（以下、コンタクトセンサ）を用いた画像形成装置に関する。
【０００２】
【従来の技術】
複写機等の画像形成装置では、画像を読みとるコンタクトセンサ及びアナログプロセッサ回路を備えたリーダーユニットと、読み込んだ画像データを画像処理し用紙に印刷を行う本体部分とを備える構成のものが知られている。リーダーユニットはコンタクトセンサを移動させることにより原稿台上に載置された原稿の画像を読み取り、得られたアナログ信号をアナログプロセッサ回路でデジタル信号に変換する。また、本体部分は画像処理回路及び印刷機構を備え、アナログプロセッサ回路から得られた画像データを画像処理し、印刷機構により用紙に印刷している。
【０００３】
このような構成の画像形成装置では、コンタクトセンサがリーダーユニット内で移動するため、コンタクトセンサとアナログプロセッサ回路との間をフレキシブルなケーブルで接続している。
【０００４】
また、画像形成装置では、紙詰まりを解消するＪＡＭ処理や、トナー補給のためにカートリッジ交換を行う必要がある。このＪＡＭ処理やカートリッジ交換時において、リーダーユニットを本体部分に対してスライドさせることにより、本体の部分を開放し、本体内の紙送り送り機構で紙詰まりしている用紙を取り除いたり、本体内に収納されているカートリッジを交換するタイプの構造がある。
【０００５】
このタイプの画像形成装置では、リーダーユニットが本体部分に対してスライドするため、リーダーユニット側のアナログプロセッサ回路と本体部分の画像処理回路との間をフレキシブルなケーブルで接続している。
【０００６】
図８は、従来の画像形成装置の一構成例を示す図であり、リーダーユニットが本体部分に対してスライドする構成を示している。図８（ａ），図８（ｂ）は印刷時の状態を示し、図８（ｃ），図８（ｄ）はＪＡＭ処理やカートリッジ交換時の状態を示している。
【０００７】
図８（ａ），（ｂ）において、リーダーユニット１には、原稿台上に対して移動するコンタクトセンサ１１とリーダーユニット１に固定されるアナログプロセッサ回路２０とを備え、本体２には、本体枠２１に画像処理回路３０が設けられている。
【０００８】
コンタクトセンサ１１からはアナログ信号が出力され、アナログプロセッサ回路２０はこのアナログ信号をデジタル信号に変換する。本体２側の画像処理回路３０はこのデジタル信号を受け取って印刷処理を行う。
【０００９】
一般にケーブルの線長が長くなると信号レベルが低下し、ノイズの影響を受け易くなる。そのため、コンタクトセンサ１１とアナログプロセッサ回路２０との間をつなぐケーブルの線長を長くすることは望ましくない。そこで、アナログプロセッサ回路２０はリーダーユニット１側に配置し、コンタクトセンサ１１とアナログプロセッサ回路２０との間はフレキシブルなケーブル（図示しされていない）で接続している。これにより、ケーブルの線長が長くなることを抑えると共に、コンタクトセンサ１１のスライド移動を可能としている。
【００１０】
また、アナログプロセッサ回路２０と本体枠２１に固定される画像処理回路３０との間もフレキシブルなケーブル４２で接続している。
【００１１】
ＪＡＭ処理やカートリッジ交換時には、図８（ｃ），（ｄ）に示すように、リーダーユニット１を本体２に対してスライドさせる（図中の矢印方向）。ここで、アナログプロセッサ回路板２０と画像処理回路３０との間をフレキシブルなケーブル４２で接続することにより、リーダーユニット１の円滑な移動を維持している。
【００１２】
また、アナログプロセッサ回路２０は、アナログ−デジタル変換等の高速処理を行うため高周波による放射ノイズを発生する。そのため、アナログプロセッサ回路２０は、放射ノイズや静電ノイズを除去するために接地を行う必要がある。
このアナログプロセッサ回路の接地は、本体２側の画像処理回路３０と接続するケーブルの束線を利用することができるが、これだけでは放射ノイズを十分に抑制することはできない。
【００１３】
また、上記した構成のようにリーダーユニットがスライドする機構では、アナログプロセッサ回路２０と画像処理回路３０との間のケーブル４２の線長を長くする必要があり、線長が長いほど、アナログプロセッサ回路２０からの放射ノイズがケーブルを介して他の回路に与える影響も大きくなる。
【００１４】
そのため、アナログプロセッサ回路２０をシールドボックス６０で囲み、更にシールドボックス６０を本体枠２１に結合させる構成により放射ノイズを抑制することが提案されている。さらに、本体枠２１に例えばリン青銅製のフィンガー接点６２を取り付け、リーダーユニット１が本体２にセットされた状態でシールドボックス６０とフィンガー接点６２とを接触させ、アナログプロセッサ回路２０を本体２側に接地させる構成も提案されている。
【００１５】
しかし、この構成では、リーダーユニットのスライド動作を繰り返すことによりフィンガー接点の形状が変形し、スライド時に接触音が発生するという問題や、シールドボックス６０とフィンガー接点６２との間の接点が不良となって放射ノイズが発生するという問題がある。
【００１６】
そのため、シールドボックス側にガスケットを貼り付け、繰り返し動作によりフィンガー接点が変形したとしてもガスケットで吸収できる構成が提案されている。図９はシールドボックス及び接地の一構成例を示している。図９において、シールドボックス６０にガスケット６１を取り付け、本体枠２１に例えばリン青銅製のフィンガー接点６２を取り付ける。リーダーユニット１を本体２にセットした状態では、ガスケット６１とフィンガー接点６２が接触する。これにより、リーダーユニット１が本体２にセットすることにより、アナログプロセッサ回路２０を囲むシールドボックス６０は、ガスケット６１とフィンガー接点６２とを介して本体２側に接地される。
【００１７】
【発明が解決しようとする課題】
従来提案されている構成では、リーダーユニットのスライド構成において、リーダーユニット内に設けられたアナログプロセッサ回路と本体枠とを電気的に確実に接触させ、アナログプロセッサ回路による放射ノイズや静電ノイズを低減させるためには、例えば、ガスケットやフィンガー接点等の接触のための部材が必要となり、また、リーダーユニット側のアナログプロセッサ回路と本体側の画像処理回路との間に線長の長いフレキシブルなケーブルが必要となるため、部品点数が増しコストも高くなるという問題がある。
【００１８】
また、ガスケットやフィンガー接点等の接触部材を耐久試験しなければならないため、試験期間を要するという問題もある。
【００１９】
そこで、本発明は前記した従来の問題点を解決し、アナログプロセッサ回路と本体側の回路とを、ガスケットやフィンガー接点等の接触のための部材を要することなく、簡易な構成で電気的に接続することを目的とするものであり、また、アナログプロセッサ回路による放射ノイズや静電ノイズを低減させることを目的とする。
【００２０】
【課題を解決するための手段】
本発明は、リーダーユニットを本体に対してスライドさせる機構をもつ画像形成装置において、リーダーユニットに配置される画像読み取り手段と、画像読み取り手段から出力されたアナログ信号をデジタル信号に変換する信号処理手段とを備え、信号処理手段の本体に対する位置を固定する構成とする。
【００２１】
画像読み取り手段としては、例えばコンタクトセンサ（密着型イメージセンサ）を用いることができ、信号処理手段としては、例えばＡ／Ｄ変換を行うアナログプロセッサ回路とすることができる。信号処理手段で変換された信号は、本体側が備える画像処理装置等の回路に送られ印刷処理が行われる。
【００２２】
本発明の画像形成装置は、信号処理手段を本体に対して固定することにより、リーダーユニットがスライド移動した場合であっても信号処理手段と本体との位置関係を不変とすることができる。これにより、信号処理手段を本体側の回路との電気的な接続を、ガスケットやフィンガー接点等の接触のための部材を要することなく簡易な構成で行うことができる。また、信号処理手段と本体との位置関係はリーダーユニットがスライド移動しても変わらないため、信号処理手段と本体の設置位置を近づけて定めておくことにより、信号処理手段と本体側の回路との接続距離を常に短いケーブル線で接続することができ、これにより、信号処理手段から発せられる放射ノイズがケーブルを介して放出することを低減し、また、ケーブルを介して外部から信号処理システムに入力するノイズを低減することができる。
【００２３】
信号処理手段を本体に対して固定する一態様は、信号処理手段をリーダーユニット内に配置すると共に、本体に信号処理手段を固定する固定部材を設け、この固定部材により信号処理手段を固定する。また、リーダーユニットは、スライド時に固定部材が通過する部位に開口部を備える。この開口部内に固定部材を配置することにより固定部材とリーダーユニットとの干渉を回避し、スライド移動中にリーダーユニットが固定部材に当たらないようにすることができる。
【００２４】
この開口部は、少なくとも固定部材を挿入可能とする幅と、少なくともリーダーユニットのスライド幅の長さを有するスリット状の長穴とすることができる。信号処理手段を本体に対して固定する他の態様は、信号処理手段を本体内に固定すると共に、リーダーユニットはスライド時において画像読み取り手段と信号処理手段とをつなぐケーブルが通過する部位に開口部を備える。
【００２５】
この態様では、信号処理手段を本体内に直接固定する。リーダーユニットに形成する開口部は、画像読み取り手段と信号処理手段とをつなぐケーブルを通す部分であり、これによりケーブルとリーダーユニットとの干渉を回避し、スライド移動中にリーダーユニットがケーブルに当たらないようにすることができる。
【００２６】
本発明によれば、簡易な構成によりアナログプロセッサ回路と本体枠とを電気的に接続することができ、ガスケットやフィンガー接点等の接触のための部材を要することなく、アナログプロセッサ回路と本体枠とを電気的に接続し、アナログプロセッサ回路による放射ノイズや静電ノイズを低減させることができる。
【００２７】
また、本発明によれば、シールドボックスと本体枠とをつなぐフィンガー接点やガスケットといった部材が不要であるためコストを抑えて安価とすることができる。
【００２８】
また、本発明によれば、フィンガー接点を使用しないため、放射ノイズにおいても安定し、かつフィンガー形状変形の耐久試験を行う必要もなくなる。
【００２９】
また、本発明によれば、アナログプロセッサ回路と本体枠との位置関係は、リーダーユニットがスライド移動しても変わらないため、アナログプロセッサ回路と本体側の画像処理回路との間をつなぐケーブルの線長を短くすることができ、また、フレキシブルなケーブルを必要としないため、コストを抑制することができる他、ケーブルを固定することで誤動作や故障の要因を抑えることができる。
【００３０】
【発明の実施の形態】
以下、本発明の実施の形態について、図を参照しながら詳細に説明する。  図１〜４は本発明の画像形成装置を説明するための概略図であり、図１は本体の概略図を示し、図２はリーダーユニットをスライド移動させた状態を示し、図３はリーダーユニットの概略を示し、図４はリーダーユニットと本体との接続関係を説明するための透視概略図である。
【００３１】
図１に示す画像形成装置は、ＡＤＦ（オートドキュメントフィーダ）機能を装備る複合機に例を示している。
【００３２】
画像形成装置は、リーダーユニット１と本体２とを備える。リーダーユニット１は、原稿台ガラス５の下面に原稿を読みとる画像読み取り手段を備える。画像読み取り手段は、密着型イメージセンサ（コンタクトセンサ）を用いることができる。また、図示するリーダーユニット１は、原稿を原稿台ガラス５に対して押さえる白色シート３、及びＡＤＦ機能により原稿を自動排給紙する白色ローラ４を備える。
【００３３】
また、本体２は、画像読み取り手段で読みとった画像データを画像処理して、印刷処理を行う機構、給排紙機構等を備える。なお、図中の符号６は操作パネル６である。
【００３４】
本発明の画像処理装置は、紙詰まりを解消するＪＡＭ処理や、トナー補給のためにカートリッジ交換を行う際に、リーダーユニットを本体部分に対してスライドさせて本体の部分を開放し、本体内の紙送り送り機構で紙詰まりしている用紙を取り除いたり、本体内に収納されているカートリッジを交換する構造である。
【００３５】
図１中の符号７はリーダーユニットスライドレバーである。図２はリーダーユニットの引き出しを説明するための図である。リーダーユニット１をスライ移動ドさせるには、リーダーユニットスライドレバー７を引きながらリーダーユニット１を図中の左に引き出し、リーダーユニット１の下方に隠されいたカートリッジカバー８を露出させる（図２（ａ））。このカートリッジカバー８を開けて、本体２内部に収納されるカートリッジを取り出す（図２（ｂ））。その後に、紙を除去する作業を行うことによりＪＡＭ処理が行われる。
【００３６】
したがって、この画像形成装置では、ＪＡＭ処理やカートリッジ交換の際に、リーダーユニット１は本体２に対してスライド移動するため、リーダーユニット１と本体２との位置関係が変化する。
【００３７】
次に、リーダーユニット内部の構成を図３を用いて説明する。リーダーユニット１は、原稿を画像読み取りして画像データを取得する。取得した画像データは本体１側の画像処理回路に送られ印刷処理が行われる。
【００３８】
図３に示すように、リーダーユニット１は、画像読み取りを行うコンタクトセンサ１１をスライド自在に備える。コンタクトセンサ１１は、原稿台ガラスの下側においてキャリッジレール１３に沿ってスライド自在に支持され、駆動ベルト１４によりスライド移動される。駆動ベルト１４の両端には駆動プーリ１５，１６が設けられ、駆動ベルト１７を介してリーダモータ１８  により図中の前進方向あるいは後進方向に駆動される。リーダモータ１８回転させることで、コンタクトセンサ１１をスライド移動させ、原稿台ガラス上の原稿を読み取る。
【００３９】
また、スライド移動方向の一方の端部には、コンタクトセンサホームポジションセンサ１９が設けられ、コンタクトセンサ１１がホームポジションに存在するか否かを検出する。なお、図３中の破線は、ＡＤＦ使用時におけるコンタクトセンサ１１の原稿読み出し位置を示している。
【００４０】
コンタクトセンサ１１Ｓで読み取った画像データは、フレキブルなケーブル４１を介してアナログプロセッサ回路２０等の信号処理手段に送られる。ケーブル４１をフレキシブルとすることにより、アナログプロセッサ回路２０と接続したままでコンタクトセンサ１１のスライド移動を自在としている。
【００４１】
図４はアナログプロセッサ回路と画像処理回路の接続状態を示す図である。アナログプロセッサ回路２０は、コンタクトセンサ１１から送られてくるアナログ信号をデジタル信号に変換し、変換したデジタル信号を画像処理回路に送る。
【００４２】
アナログプロセッサ回路２０でデジタル信号に変換された画像信号は、例えば１０ｂｉｔ幅のフレキシブルなケーブル４２を介して、本体２内の本体枠２１に取り付けられた画像処理回路３０に送られ画像処理が行われる。なお、ケーブル４２の束線の一部をグラウンド線４３として用いることができる。
【００４３】
以下、本発明の画像形成装置の構成について説明する。
【００４４】
図５は本発明の画像形成装置の第１の形態を説明するための概略図であり、リーダーユニットが本体部分に対してスライドする構成において、図５（ａ）び図５（ｂ）は印刷時の状態を示し、図５（ｃ），図５（ｄ）はＪＡＭ処理やカートリッジ交換時にリーダーユニットをスライドさせた状態を示している。
【００４５】
第１の形態では、本体２の本体枠２１に固定部材５１を固定して取り付け、この固定部材５１にアナログプロセッサ回路２０を固定する。これにより、アナログプロセッサ回路２０を本体２に対して固定する。
【００４６】
なお、アナログプロセッサ回路は、シールドボックスで囲みシールドボックスの下に台座等の固定部材５１を取り付け本体枠２１に固定する。
【００４７】
従来の画像形成装置では、アナログプロセッサ回路２０はリーダーユニット１上に固定された構成であるのに対して、本発明のアナログプロセッサ回路２０は本体２に対して固定され、リーダーユニット１が本体１に対してスライド移動した場合にも、アナログプロセッサ回路２０と本体２との位置関係は変わらない。
【００４８】
コンタクトセンサ１１とアナログプロセッサ回路２０との間はフレキシブルなケーブル４１で接続され、アナログプロセッサ回路２０と本体枠２１に設けられた画像処理回路３０との間はケーブル４２で接続される。このアナログプロセッサ回路２０と画像処理回路３０とを接続するケーブル４２は、アナログプロセッサ回路２０が本体２に対して固定されているため、フレキシブルであることを要さない。また、画像処理回路３０とアナログプロセッサ回路２０の設置位置を互いに接近させて配置することにより、画像処理回路３０とアナログプロセッサ回路２０とを結ぶケーブル４２の距離を短くすることができる。
【００４９】
また、リーダーユニット１には、固定部材５１を通すための開口部５２を設ける。この開口部５２は、リーダーユニット１がスライド移動した際に、固定部材５１とリーダーユニット１とが干渉してリーダーユニット１の移動を妨げないようにする機構である。開口部５２の形状は、少なくとも固定部材５１を挿入可能とする幅と、少なくともリーダーユニットがスライドする幅の長さを有するスリット状の長穴とすることができる。
【００５０】
図５（ａ），（ｂ）に示すリーダーユニットをセットした状態と、図５（ａ），（ｂ）に示すリーダーユニットを引き出した状態との比較からわかるように、アナログプロセッサ回路２０は固定部材５１により本体枠２１に固定され、固定部材５１はリーダーユニット１に形成した開口部５２内に設けられているため、リーダーユニットがスライドして本体２に対する位置関係が変化しても、アナログプロセッサ回路２０と画像処理回路３０との位置関係は変わらず、ガスケットやフィンガー接点等の接触のための部材を要することなく、簡易なケーブル４２により接続することができる。なお、アナログプロセッサ回路２０の接地はケーブルの一部をグランド線とし、本体２に接地することができる。
【００５１】
図６は本発明の画像形成装置の第２の形態を説明するための概略図であり、リーダーユニットが本体部分に対してスライドする構成において、図６（ａ）び図６（ｂ）は印刷時の状態を示し、図６（ｃ），図６（ｄ）はＪＡＭ処理やカートリッジ交換時にリーダーユニットをスライドさせた状態を示している。
【００５２】
第２の形態では、アナログプロセッサ回路２０を本体２の本体枠２１に直接取り付けることにより、アナログプロセッサ回路２０を本体２に対して固定する。
なお、アナログプロセッサ回路は、シールドボックスで囲みシールドボックスを本体枠２１に固定するようにしてもよい。
【００５３】
従来の画像形成装置では、アナログプロセッサ回路２０はリーダーユニット１上に固定された構成であるのに対して、この第２の形態においても、アナログプロセッサ回路２０は本体２に対して固定され、リーダーユニット１が本体１に対してスライド移動した場合にも、アナログプロセッサ回路２０と本体２との位置関係は変わらない。
【００５４】
第２の形態では、コンタクトセンサ１１とアナログプロセッサ回路２０との間はフレキシブルなケーブル４４で接続される。また、アナログプロセッサ回路２０は、本体枠２１上に取り付けられため、アナログプロセッサ回路２０と画像処理回路３０との間はケーブルで接続することも、あるいは共通の回路基板上に形成することもできる。
【００５５】
アナログプロセッサ回路２０と画像処理回路３０とは共に本体枠２上に設けられ、リーダーユニット１のスライドに関わらず位置関係は変わらないため、ケーブルで接続する場合であってもフレキシブルなケーブルを用いることを要さず、また、アナログプロセッサ回路２０と画像処理回路３０との距離は任意に短く設定することができる。
【００５６】
また、リーダーユニット１には、ケーブル４４を通すための開口部５２を設ける。この開口部５２は、リーダーユニット１がスライド移動した際に、ケーブル４４とリーダーユニット１とが干渉してリーダーユニット１の移動を妨げないようにする機構である。開口部５２の形状は、少なくともケーブル４４を挿入可能とする幅と、少なくともリーダーユニットがスライドする幅の長さを有するスリット状の長穴とすることができる。
【００５７】
図６（ａ），（ｂ）に示すリーダーユニットをセットした状態と、図６（ａ），（ｂ）に示すリーダーユニットを引き出した状態との比較からわかるように、アナログプロセッサ回路２０は本体枠２１に固定され、ケーブル４４はリーダーユニット１に形成した開口部５２内に設けられているため、リーダーユニットがスライドして本体２に対する位置関係が変化しても、アナログプロセッサ回路２０と画像処理回路３０との位置関係は変わらず、ガスケットやフィンガー接点等の接触のための部材を要することなく、簡易な構成により接続することができる。なお、アナログプロセッサ回路２０の接地は本体枠２１内で本体２に接地することができる。
【００５８】
図７は、コンタクトセンサの移動を説明するための図である。コンタクトセンサ１１はフレキシブルなケーブル４１でアナログプロセッサ回路２０に接続されているため、原稿の画像読みとりにおいてコンタクトセンサ１１が移動した場合であっても、ケーブル４１はその移動に追従することができる。図７は、コンタクトセンサ１１が、前記図５に示す位置から反対側に移動した状態を示している。
【００５９】
本発明の形態によれば、ガスケットやフィンガー接点等の接触のための部材を要することなく簡易な構成によりアナログプロセッサ回路と本体枠とを電気的に接続し、アナログプロセッサ回路による放射ノイズや静電ノイズを低減させることができる。
【００６０】
また、本発明の形態によれば、シールドボックスと本体枠とをつなぐフィンガー接点やガスケットといった部材が不要であるため、フィンガー形状変形の耐久試験を行う必要がなく、放射ノイズにおいても安定し、コストを抑えて安価とすることができる。
【００６１】
また、本発明の形態によれば、アナログプロセッサ回路と本体枠との位置関係はリーダーユニットがスライド移動しても変わらないため、アナログプロセッサ回路と本体側の画像処理回路との間をつなぐケーブルの線長を短くすることができ、また、フレキシブルなケーブルを必要としないため、コストを抑制することができ、ケーブルを固定することで誤動作や故障の要因を抑えることができる。
【００６２】
また、本発明の形態によれば、リーダーユニットがスライドする構成において、高速に動作する回路を確実にアースに接続することができる。
【発明の効果】
以上説明したように、本発明によれば、アナログプロセッサ回路と本体側の回路とを、ガスケットやフィンガー接点等の接触のための部材を要することなく、簡易な構成で電気的に接続することができる。また、アナログプロセッサ回路による放射ノイズや静電ノイズを低減させることができる。
【００６３】
【図面の簡単な説明】
【図１】本発明の画像形成装置を説明するための概略図である。
【図２】リーダーユニットの引き出しを説明するための図である。
【図３】リーダーユニット内部の構成を説明するための図である。
【図４】アナログプロセッサ回路と画像処理回路の接続状態を示す図である。
【図５】本発明の画像形成装置の第２の形態を説明するための概略図である。
【図６】本発明の画像形成装置の第２の形態を説明するための概略図である。
【図７】コンタクトセンサの移動を説明するための図である。
【図８】従来の画像形成装置の一構成例を示す図である。
【図９】シールドボックス及び接地の一構成例を示す図である。
【符号の説明】
１…リーダーユニット
２…本体
３…白色シート
４…白色ローラ
５…原稿台ガラス
６…操作パネル
７…リーダーユニットスライドレバー
８…カートリッジカバー
１１…コンタクトセンサ
１２…キャリッジ
１３…キャリッジレール
１４，１７…駆動ベルト
１５，１６…駆動プーリ
１８…リーダモータ
１９…コンタクトセンサホームポジション
２０…アナログプロセッサ回路
２１…本体枠
３０…画像処理回路
４１、４２，４４…ケーブル
４３…グラウンド線
５１…固定部材
５２…開口部
【図１】
2005020374.tif 000003
【図２】
2005020374.tif 000004
【図３】
2005020374.tif 000005
【図４】
2005020374.tif 000006
【図５】
2005020374.tif 000007
【図６】
2005020374.tif 000008
【図７】
2005020374.tif 000009
【図８】
2005020374.tif 000010
【図９】
2005020374.tif 000011